(57)【要約】      （修正有）【課題】作業効率を向上することができる充填コア式ローラーブラシを提供する。【解決手段】アウターケーシング１、コア２、プラグ３、ドラム４、およびブラケット５を備え、後ろからコアを充填する構造を有する。アウターケーシングは、コアの外側に配置され、ドラムは、円筒構造であり円筒の中央部にローラーが設けられており、ブラケットの上部の一端がドラムの内部に插入し、コアとプラグの係合によりドラムが固定されている。【選択図】図２
0003224631.tif 000002
【実用新案登録請求の範囲】
【請求項１】
アウターケーシング（1）、コア（2）、プラグ（3）、ドラム（4）、およびブラケット（5）を備え、
前記アウターケーシング（1）は、前記コア（２）の外側に配置され、
前記ドラム（4）は、円筒構造であり円筒の中央部にローラーが設けられており、
前記ブラケット（5）の上部の一端が前記ドラム（４）の内部に挿入され、
前記コア（２）と前記プラグ（３）の係合により前記ドラム（4）が固定されている
ことを特徴とする充填コア式ローラーブラシ。
【請求項２】
前記プラグ（３）は、前記ドラム（4）の一端に取り外し可能に接続される
ことを特徴とする請求項１に記載の充填コア式ローラーブラシ。
【請求項３】
前記アウターケーシング（1）の前部にはガイド部が設けられ、
かつ前記アウターケーシング（１）には突起が均一に分布されている
ことを特徴とする請求項１又は２に記載の充填コア式ローラーブラシ。
【考案の詳細な説明】
【技術分野】
【０００１】
本考案は、建築業に使われるローラーブラシに関し、特に、後ろからコアを充填するローラーブラシに関する。
【背景技術】
【０００２】
ローラーブラシは、人工で塗料を塗るときに、よく使われている。ローラーブラシは主にローラーとブラケットで構成され、ブラケットの一端がローラーの中心軸穴に挿入されてローラーに転がり係合するため、壁面に塗料を塗ることができるようになる。使用中に、回転がうまく行かなったり、ローラーはブラケットから滑り落ちったりすることがあります。特にローラーの内径が小さい場合、内部嵌合構造が複雑すぎると、ローラーの内部に取り付け難く、ローリング協調効果は達成できなくなる。オペレータの作業効率は悪影響を受け、既存の内部嵌合構造部品は、より高い要求に満たすことができない。
【考案の概要】
【０００３】
本考案は、上記の課題を解決するため、後ろからコアを充填する充填コア式ローラーブラシを提供する。
本考案の目的は、以下の技術方案により実現させる。
本考案は、アウターケーシング、コア、プラグ（ストッパ）、ドラム、およびブラケットを備える後ろから充填コア式ローラーブラシを提供する。上記アウターケーシングは、コアの外側に配置され、上記ドラムは、円筒構造であり円筒の中央部にローラーが設けられており、上記ブラケットの上部の一端がドラムの内部に插入し、コアとストッパの係合によりドラムが固定されている。更に、アウターケーシングには、ドラムの内壁に密接に係合することにより、位置決めのために均一に分布した突起が設けられている。並びに、アウターケーシングの前部にはガイド部が設けられているため、付属品の前端がドラムの内部に導入しやすくなる。当該構造により、付属品が脱落し難く、揺れもない、機械加工でその効果が特に顕著になる。また、上記コアをドラムの尾部から配置し、プラグで塞ぐ。したがって、ブラケットが中心軸穴から挿入されると、ドラムがブラケットの上面から滑り落ちにくくなる。プラクは固定機能であるだけでなく、審美的な役割も果たす。本考案の内部付属品は、アウターケーシングとプラクがそれぞれ独立し、顧客の好みに合わせて、色を自由に組み合わせることができ、商品の色が豊富ではない問題も解決できた。
【０００４】
本考案の有益な効果
従来のローラーブラシと比較すると、本考案の生産効率は1から3倍向上できる。アウターケーシングの前部にはガイド部が設けられているため、付属品の前端がドラムの内部に導入しやすくなる。当該構造により、付属品が脱落し難く、揺れもない、機械加工でその効果が特に顕著になる。また、上記コアをドラムの尾部から配置し、プラグで塞ぐ。したがって、ブラケットが中心軸穴から挿入されると、ドラムがブラケットの上面から滑り落ちにくくなる。プラクは固定機能であるだけでなく、審美的な役割も果たす。本考案の内部付属品は、アウターケーシングとプラクがそれぞれ独立し、顧客の好みに合わせて、色を自由に組み合わせることができ、商品の色が豊富ではない問題も解決できた。本考案に関わる製品について、デザインは合理的で、構造はシンプルで、デザインは美しくファッショナブルで、機械化された生産のトレンドに適応できる。
【図面の簡単な説明】
【０００５】
以下、添付図面および実施形態を参照して、本発明をさらに詳細に説明する。
【図１】本考案に関わる製品の断面図；
【図２】本考案に関わる製品の断面図；
【図３】本考案に関わる製品の側面の一部分の構造を示す見取図；
【図４】本考案に関わる製品のコアの構造を示す見取図；
【考案を実施するための形態】
【０００６】
アウターケーシング1、コア2、プラグ3、ドラム4、およびブラケット5を備える後ろから充填コア式ローラーブラシである。上記アウターケーシング1は、コア２の外側に配置され、上記ドラム4は、円筒構造であり円筒の中央部にローラーが設けられており、上記ブラケット5の上部の一端がドラム４の内部に插入し、コア２とストッパ３の係合によりドラム4が固定されている。
【０００７】
本考案の更に好ましい形態として、アウターケーシング1には、ドラム４の内壁に密接に係合することにより、位置決めのために均一に分布した突起が設けられている。並びに、アウターケーシング1の前部にはガイド部が設けられているため、付属品の前端がドラム４の内部に導入しやすくなる。当該構造により、付属品が脱落し難く、揺れもない、機械加工でその効果が特に顕著になる。
【０００８】
本考案のさらに好ましい形態としては、コア２をドラム４の尾部から配置し、プラグ３で塞ぐことである。したがって、ブラケット５が中心軸穴から挿入されると、ドラム４がブラケット５の上面から滑り落ちにくくなる。プラクは固定機能であるだけでなく、審美的な役割も果たす。本考案の内部付属品は、アウターケーシングとプラクがそれぞれ独立し、顧客の好みに合わせて、色を自由に組み合わせることができ、商品の色が豊富ではない問題も解決できた。
【０００９】
動作原理：まず、ローラーをドラム4の中央に配置し、ブラケット5の上部の一端をコア２の外側に挿入し、ドラム4をコア2とプラグ3の協働により固定する。アウターケーシング１に均一に分布した突起は、ドラム4の内壁にぴったりと配合させ、位置決めの効果を果たした。アウターケーシング1の前部にはガイド部が設けられているため、付属品の前端がドラム４の内部に導入しやすくなる。当該構造により、付属品が脱落し難く、揺れもない、機械加工でその効果が特に顕著になる。コア２をドラム４の尾部から配置し、プラグ３で塞ぐ。したがって、ブラケット５が中心軸穴から挿入されると、ドラム４がブラケット５の上面から滑り落ちにくくなる。プラク３は固定機能であるだけでなく、審美的な役割も果たした。
【００１０】
以上、本考案の基本原理、主な特徴、および本考案の利点が示され、本考案が上記の例示的な実施形態の詳細に限定されず、本発明から逸脱することなく、当業者には明らかである。本発明は、精神または基本的特徴の場合、他の特定の形態で実施することができる。したがって、本実施形態は、限定ではなく例示と見なされるべきであり、本発明の範囲は添付の特許請求の範囲によって定義される。請求された同等物の意味および範囲のすべての変更は、本発明に含まれる。請求項内の参照符号は、請求範囲を限定するものとして解釈されるべきではない。
【００１１】
さらに、説明は実施形態に関して説明されているが、すべての実施形態が1つの独立した技術的解決策のみを含むわけではないことを理解すべきである。実施形態における技術的解決策は、当業者によって理解され得る他の実施形態を形成するために必要に応じて組み合わされてもよい。
【符号の説明】
【００１２】
アウターケーシング        1
コア    2
プラグ                3
ドラム                4
ブラケット        ５
【図１】
0003224631.tif 000003
【図２】
0003224631.tif 000004
【図３】
0003224631.tif 000005
【図４】
0003224631.tif 000006